(57)【要約】本発明は利用権利、利用権利発行方法、及びこれを利用したコンテンツ制御方法に関し、特定コンテンツの動作要求を受信したＤＲＭ（Ｄｉｇｉｔａｌ  Ｒｉｇｈｔｓ  Ｍａｎａｇｅｍｅｎｔ）エージェントが、該当コンテンツを利用するために他のコンテンツに関する先利用制限情報を含む利用権利を受信した場合、前記ＤＲＭエージェントは、前記先利用制限情報に指定された動作が全部又は少なくとも１つ実行されて制限を満たすと、該当コンテンツを動作させる。
2009503626.tif 000002
【特許請求の範囲】
【請求項１】
特定コンテンツを利用するためには他のコンテンツを先に利用しなければならないことを示す先利用制限情報を含むことを特徴とするデジタル著作権管理における利用権利。
【請求項２】
前記先利用制限情報が、
前記他のコンテンツを識別するための情報と、
該当先利用制限情報の動作形態を定義する少なくとも１つの動作情報と
を含むことを特徴とする請求項１に記載のデジタル著作権管理における利用権利。
【請求項３】
前記動作情報が、再生、表示、印刷、転送などの動作を示すアセットの指定された動作を示す情報であることを特徴とする請求項２に記載のデジタル著作権管理における利用権利。
【請求項４】
前記先利用制限情報が、該当先利用制限情報の適用回数を定義する属性を含むことを特徴とする請求項１に記載のデジタル著作権管理における利用権利。
【請求項５】
前記属性が、該当先利用制限情報を１回適用するか、前記特定コンテンツを利用する度に適用するかを示すことを特徴とする請求項４に記載のデジタル著作権管理における利用権利。
【請求項６】
特定コンテンツを利用するためには他のコンテンツを先に利用しなければならないことを示す先利用制限情報を含む利用権利をライトイシュアが生成する過程と、
ＤＲＭ（Ｄｉｇｉｔａｌ  Ｒｉｇｈｔｓ  Ｍａｎａｇｅｍｅｎｔ）エージェントがコンテンツイシュアから前記利用権利を取得するための信号を受信する過程と、
前記ＤＲＭエージェントが前記ライトイシュアに該当利用権利を要求して受信する過程と
を含むことを特徴とするデジタル著作権管理における利用権利発行方法。
【請求項７】
前記先利用制限情報が、
前記他のコンテンツを識別するための情報と、
該当先利用制限情報の動作形態を定義する少なくとも１つの動作情報と
を含むことを特徴とする請求項６に記載のデジタル著作権管理における利用権利発行方法。
【請求項８】
前記動作情報が、再生、表示、印刷、転送などの動作を示すアセットの指定された動作を示す情報であることを特徴とする請求項６に記載のデジタル著作権管理における利用権利発行方法。
【請求項９】
前記先利用制限情報が、該当先利用制限情報の適用回数を定義する属性を含むことを特徴とする請求項６に記載のデジタル著作権管理における利用権利発行方法。
【請求項１０】
前記属性が、該当先利用制限情報を１回適用するか、前記特定コンテンツを利用する度に適用するかを示すことを特徴とする請求項９に記載のデジタル著作権管理における利用権利発行方法。
【請求項１１】
コンテンツイシュア及びライトイシュアから少なくとも１つのコンテンツ及び該当コンテンツの利用権利をそれぞれ受信してコンテンツの利用を制御する方法において、
ユーザから特定コンテンツの利用要求を受信する過程と、
前記要求されたコンテンツの利用権利を確認する過程と、
前記の確認に応じて、前記要求されたコンテンツの利用を制御する過程と
を含むことを特徴とするデジタル著作権管理におけるコンテンツ制御方法。
【請求項１２】
前記コンテンツの利用を制御する過程は、
前記利用権利が先利用制限情報を含む場合、先に該当先利用制限情報に指定されたコンテンツを動作させた後、前記要求されたコンテンツを動作させる過程と、
前記利用権利が前記先利用制限情報を含まない場合、前記要求されたコンテンツを動作させる過程と
を含むことを特徴とする請求項１１に記載のデジタル著作権管理におけるコンテンツ制御方法。
【請求項１３】
前記コンテンツを動作させる過程は、
ＤＲＭ（Ｄｉｇｉｔａｌ  Ｒｉｇｈｔｓ  Ｍａｎａｇｅｍｅｎｔ）エージェントが前記先利用制限情報の実行に対するユーザの同意を得る過程を含むことを特徴とする請求項１１に記載のデジタル著作権管理におけるコンテンツ制御方法。
【請求項１４】
前記先利用制限情報が、
前記他のコンテンツを識別するための情報と、
該当先利用制限情報の動作形態を定義する少なくとも１つの動作情報と
を含むことを特徴とする請求項１１に記載のデジタル著作権管理におけるコンテンツ制御方法。
【請求項１５】
前記動作情報が、再生、表示、印刷、転送などの動作を示すアセットの指定された動作を示す情報であることを特徴とする請求項１４に記載のデジタル著作権管理におけるコンテンツ制御方法。
【請求項１６】
前記先利用制限情報が、該当先利用制限情報の適用回数を定義する属性を含むことを特徴とする請求項１１に記載のデジタル著作権管理におけるコンテンツ制御方法。
【請求項１７】
前記属性が、該当先利用制限情報を１回適用するか、前記特定コンテンツを利用する度に適用するかを示すことを特徴とする請求項１６に記載のデジタル著作権管理におけるコンテンツ制御方法。
【請求項１８】
少なくとも１つのコンテンツを発行するコンテンツイシュアと、
他のコンテンツを先に利用しなければならないことを示す先利用制限情報を含む利用権利を発行するライトイシュアと、
前記ライトイシュアから受信した先利用制限情報を含む利用権利を確認し、ユーザが前記コンテンツイシュアから受信した特定コンテンツの利用を要求すると、前記要求された特定コンテンツの利用を制御するＤＲＭ（Ｄｉｇｉｔａｌ  Ｒｉｇｈｔｓ  Ｍａｎａｇｅｍｅｎｔ）エージェントと
を含むことを特徴とするデジタル著作権管理システム。
【請求項１９】
前記先利用制限情報が、
前記他のコンテンツを識別するための情報と、
該当先利用制限情報の動作形態を定義する少なくとも１つの動作情報と
を含むことを特徴とする請求項１８に記載のデジタル著作権管理システム。
【請求項２０】
前記動作情報が、再生、表示、印刷、転送などの動作を示すアセットの指定された動作を示す情報であることを特徴とする請求項１８に記載のデジタル著作権管理システム。
【請求項２１】
前記先利用制限情報が、該当先利用制限情報の適用回数を定義する属性を含むことを特徴とする請求項１８に記載のデジタル著作権管理システム。
【請求項２２】
前記属性が、該当先利用制限情報を１回適用するか、前記特定コンテンツを利用する度に適用するかを示すことを特徴とする請求項２１に記載のデジタル著作権管理システム。
【請求項２３】
前記ＤＲＭエージェントは、前記利用権利が前記先利用制限情報を含む場合、先に該当先利用制限情報に指定されたコンテンツを動作させた後、前記要求されたコンテンツを動作させることを特徴とする請求項１８に記載のデジタル著作権管理システム。
【請求項２４】
前記ＤＲＭエージェントは、コンテンツの利用順序又は利用回数を制御することを特徴とする請求項１８に記載のデジタル著作権管理システム。
【請求項２５】
コンテンツイシュアから少なくとも１つのコンテンツを受信し、ライトイシュアから前記コンテンツの各利用権利を受信するＤＲＭ（Ｄｉｇｉｔａｌ  Ｒｉｇｈｔｓ  Ｍａｎａｇｅｍｅｎｔ）エージェントを含み、
前記ＤＲＭエージェントは、ユーザが特定コンテンツの利用を要求すると、前記受信した利用権利が他のコンテンツを先に利用しなければならないことを示す先利用制限情報を含むか否かを確認し、前記要求されたコンテンツの利用を制御することを特徴とする移動通信端末。
【請求項２６】
前記ＤＲＭエージェントは、コンテンツの利用順序又は利用回数を制御することを特徴とする請求項２５に記載の移動通信端末。
【請求項２７】
前記先利用制限情報が、
前記他のコンテンツを識別するための情報と、
該当先利用制限情報の動作形態を定義する少なくとも１つの動作情報と
を含むことを特徴とする請求項２５に記載の移動通信端末。
【請求項２８】
前記動作情報が、再生、表示、印刷、転送などの動作を示すアセットの指定された動作を示す情報であることを特徴とする請求項２７に記載の移動通信端末。
【請求項２９】
前記先利用制限情報が、該当先利用制限情報の適用回数を定義する属性を含むことを特徴とする請求項２５に記載の移動通信端末。
【請求項３０】
前記属性が、該当先利用制限情報を１回適用するか、前記特定コンテンツを利用する度に適用するかを示すことを特徴とする請求項２９に記載の移動通信端末。
【請求項３１】
前記ＤＲＭエージェントは、前記利用権利が前記先利用制限情報を含む場合、先に該当先利用制限情報に指定されたコンテンツを動作させた後、前記要求されたコンテンツを動作させることを特徴とする請求項２５に記載の移動通信端末。
【発明の詳細な説明】
【技術分野】
【０００１】
本発明はデジタル著作権管理（Ｄｉｇｉｔａｌ  Ｒｉｇｈｔｓ  Ｍａｎａｇｅｍｅｎｔ；ＤＲＭ）に関し、特に、他のコンテンツの利用を条件とする利用権利、利用権利発行方法、及びこれを利用したコンテンツ制御方法に関する。
【背景技術】
【０００２】
一般に、ＤＲＭは、デジタルコンテンツの権利を安全に保護して体系的に管理するための技術であり、コンテンツの違法複製の防止、コンテンツの利用権利の取得、並びにコンテンツの生成、流通、及び利用過程における一連の保護及び管理体系を提供する。
【０００３】
図１は従来のＤＲＭシステムの構成を示す図である。
【０００４】
図１に示すように、従来のＤＲＭシステムは、コンテンツプロバイダがユーザに転送したコンテンツをユーザに付与した利用権利（Ｒｉｇｈｔｓ  Ｏｂｊｅｃｔ；ＲＯ）によって利用できるように規制する。ここで、前記コンテンツプロバイダは、コンテンツイシュア（Ｃｏｎｔｅｎｔ  Ｉｓｓｕｅｒ；ＣＩ）及び／又はライトイシュア（Ｒｉｇｈｔｓ  Ｉｓｓｕｅｒ；ＲＩ）に該当するエンティティである。
【０００５】
前記ＣＩは、コンテンツ（以下、ＤＲＭコンテンツという）へのアクセス権限を有しないユーザからＤＲＭコンテンツを保護できるように、特定暗号化キーにより保護されたＤＲＭコンテンツを発行し、前記ＲＩは、前記ＤＲＭコンテンツの利用に必要なＲＯを発行する。
【０００６】
ＤＲＭエージェントは、端末に搭載されて前記ＣＩと前記ＲＩから前記ＤＲＭコンテンツと前記ＲＯを受信し、前記ＲＯに含まれる許可（ｐｅｒｍｉｓｓｉｏｎ）及び／又は制限（ｃｏｎｓｔｒａｉｎｔ）を解析して該当端末での前記ＤＲＭコンテンツの利用を規制する。
【０００７】
前記ＤＲＭエージェントは、前記ＣＩから受信したＤＲＭコンテンツを他のＤＲＭエージェントに転送するか、又はローカルストレージもしくはネットワークストレージに転送して保存することができ、前記ＤＲＭコンテンツを受信したＤＲＭエージェントは、前記ＲＩから該当ＤＲＭコンテンツの各ＲＯを受信する。
【０００８】
前記ＤＲＭコンテンツ及び／又は該当ＤＲＭコンテンツのＲＯを受信した他のＤＲＭエージェントは、前記各ＲＯに含まれる許可及び／又は制限により定義された範囲内で、前記受信したＤＲＭコンテンツを利用する。ここで、ＤＲＭコンテンツ及び該当ＤＲＭコンテンツのＲＯを他のＤＲＭエージェントに転送する動作は、「ｅｘｐｏｒｔ」と定義される。該当ＤＲＭコンテンツの各ＲＯは、該当ＤＲＭコンテンツの利用時に適用される様々な種類の制限を含むが、例えば、前記様々な制限には該当コンテンツを利用することのできる回数、期間（時間）、又はシステムなどが含まれる。
【０００９】
しかし、従来のＤＲＭシステムにおいては、１つのコンテンツを利用するためには他のコンテンツを先に利用しなければならないという概念が含まれるＲＯを提供しない。すなわち、従来のＤＲＭシステムにおいては、１つのコンテンツを利用するためには他のコンテンツを先に利用しなければならないという制限を示すことのできる方法がない。
【発明の開示】
【発明が解決しようとする課題】
【００１０】
そこで、本発明は、コンテンツプロバイダが提供するコンテンツを利用するためには他のコンテンツを先に利用しなければならないという制限を利用権利に含めることのできる、デジタル著作権管理（ＤＲＭ）における利用権利、利用権利発行方法、及びこれを利用したコンテンツ制御方法を提供することを目的とする。
【課題を解決するための手段】
【００１１】
上記の目的を達成するために、本発明は、特定コンテンツを利用するためには他のコンテンツを先に利用しなければならないことを示す先利用制限情報を含む、デジタル著作権管理（ＤＲＭ）における利用権利を提供する。
【００１２】
上記の目的を達成するために、本発明は、特定コンテンツを利用するためには他のコンテンツを先に利用しなければならないことを示す先利用制限情報を含む利用権利をライトイシュアが生成する過程と、ＤＲＭエージェントがコンテンツイシュアから前記利用権利を取得するための信号を受信する過程と、前記ＤＲＭエージェントが前記ライトイシュアに該当利用権利を要求して受信する過程とを含む、デジタル著作権管理（ＤＲＭ）における利用権利発行方法を提供する。
【００１３】
上記の目的を達成するために、本発明は、少なくとも１つのコンテンツ及び該当コンテンツの利用権利を受信したＤＲＭエージェントがユーザから特定コンテンツの動作要求を受信する過程と、前記ＤＲＭエージェントが前記要求された特定コンテンツの利用権利を確認する過程と、前記要求されたコンテンツを実行するためには他のコンテンツが先に動作しなければならないという先利用制限情報が前記利用権利に含まれる場合、前記ＤＲＭエージェントが前記先利用制限情報を満たした後、該当コンテンツを動作させる過程とを含む、デジタル著作権管理（ＤＲＭ）におけるコンテンツ制御方法を提供する。
【００１４】
上記の目的を達成するために、本発明は、少なくとも１つのコンテンツを発行するコンテンツイシュアと、他のコンテンツを先に利用しなければならないことを示す先利用制限情報を含む利用権利を発行するライトイシュアと、前記ライトイシュアから受信した先利用制限情報を含む利用権利を確認し、ユーザが前記コンテンツイシュアから受信した特定コンテンツの利用を要求すると、前記要求された特定コンテンツの利用を制御するＤＲＭエージェントとを含む、デジタル著作権管理（ＤＲＭ）システムを提供する。
【００１５】
上記の目的を達成するために、本発明は、コンテンツイシュアから少なくとも１つのコンテンツを受信し、ライトイシュアから前記コンテンツの各利用権利を受信するＤＲＭエージェントを含み、前記ＤＲＭエージェントは、ユーザが特定コンテンツの利用を要求すると、前記受信した利用権利が他のコンテンツを先に利用しなければならないことを示す先利用制限情報を含むか否かを確認し、前記要求されたコンテンツの利用を制御する、デジタル著作権管理（ＤＲＭ）を備えた移動通信端末を提供する。
【発明の効果】
【００１６】
本発明は、他のコンテンツを先に利用するようにする条件を含むＲＯを発行し、前記ＲＯを利用して特定コンテンツの利用を制御することにより、前記コンテンツの利用順序又は利用回数を多様に定義できるという効果がある。
【００１７】
また、本発明は、ユーザが要求したコンテンツを利用するためには先に広告を見るようにするなどの活用を可能にし、連続的に動作する複数のコンテンツ間の利用順序などを定義することによりコンテンツの利用を多様に体系化できるという効果がある。
【発明を実施するための最良の形態】
【００１８】
以下、添付の図面を参照して本発明の好ましい実施形態を詳細に説明する。本技術分野における通常の知識を有する者であれば、本発明の精神又は領域から外れない範囲で、本発明に多様な変更及び変形が可能であることを理解するであろう。従って、本発明は添付された特許請求の範囲及びその同等物の範囲内で変更及び変形が可能である。
【００１９】
以下、添付の図面を参照して本発明によるデジタル著作権管理における利用権利、利用権利発行方法、及びこれを利用したコンテンツ制御方法の実施形態を説明する。
【００２０】
本発明による利用権利、利用権利発行方法、及びこれを利用したコンテンツ制御方法には、図１に示すＤＲＭシステムが適用される。
【００２１】
本発明において、コンテンツイシュア（ＣＩ）は、少なくとも１つのコンテンツを発行し、ライトイシュア（ＲＩ）は、他のコンテンツを先に利用しなければならないことを示す先利用制限情報を含む利用権利（ＲＯ）を発行することにより、連続的に動作する複数のコンテンツの利用順序又は利用回数を多様に定義することができる。
【００２２】
本発明においては、ユーザが特定コンテンツの利用を要求すると、ＤＲＭエージェントは、前記ＲＩから受信した先利用制限情報を含むＲＯを確認して前記要求されたコンテンツの利用を制御する。前記制御は、前記先利用制限情報に基づくコンテンツの利用順序又は利用回数の制御であることが好ましい。
【００２３】
また、前記ＤＲＭエージェントは、移動通信に関連した端末又はシステムに適用することができ、無線通信に関連した特徴を有するＰＤＡ（Ｐｅｒｓｏｎａｌ  Ｄｉｇｉｔａｌ  Ａｓｓｉｓｔａｎｔｓ）、ラップトップコンピュータなどの移動装置を利用する他の無線通信システムにも適用することができる。
【００２４】
図２はＲＯを定義するフォーマットであるｒｉｇｈｔｓエレメントの構成を示す図である。
【００２５】
図２に示すように、まず、ｒｉｇｈｔｓエレメントは、該当権利のメタデータを提供するｃｏｎｔｅｘｔエレメントと、所定のＤＲＭコンテンツに付与された権利を記述するａｇｒｅｅｍｅｎｔエレメントとを含む。前記ｃｏｎｔｅｘｔエレメントは、ＲＯのバージョンを示すｖｅｒｓｉｏｎエレメントと、前記ＲＯのＩＤを構成するｕｉｄエレメントとを含む。また、前記ａｇｒｅｅｍｅｎｔエレメントは、該当ａｇｒｅｅｍｅｎｔエレメントの影響を受けるＤＲＭコンテンツのアイデンティティを具体化させる１つ以上のａｓｓｅｔエレメントと、端末に許容された動作の制限を列挙するｐｅｒｍｉｓｓｉｏｎエレメントとを含み、前記ｐｅｒｍｉｓｓｉｏｎエレメントは存在しないこともあり、１つ以上存在することもある。
【００２６】
前記ａｓｓｅｔエレメントは、該当ａｇｒｅｅｍｅｎｔエレメントの影響を受けるＤＲＭコンテンツの識別子及び／又は参照識別子を示す属性を有し、該当ＤＲＭコンテンツの完全性（ｉｎｔｅｇｒｉｔｙ）の確認に用いられるハッシュ値を含むｄｉｇｅｓｔエレメントなどを含む。
【００２７】
前記ｐｅｒｍｉｓｓｉｏｎエレメントは、ｃｏｎｓｔｒａｉｎｔ、ａｓｓｅｔ、ｐｌａｙ、ｄｉｓｐｌａｙ、ｐｒｉｎｔ、ｅｘｐｏｒｔなどのエレメントを含む。ここで、前記ｃｏｎｓｔｒａｉｎｔエレメントは、前記ｐｅｒｍｉｓｓｉｏｎエレメントに属する下位エレメントであるｄｉｓｐｌａｙ、ｅｘｐｏｒｔ、ｐｒｉｎｔエレメントの動作に全て適用される条件を示す。また、前記ｐｅｒｍｉｓｓｉｏｎエレメントに属する下位エレメントであるａｓｓｅｔエレメントは、前記ｐｅｒｍｉｓｓｉｏｎエレメントに属する下位エレメントの動作を適用するアセットを示す。
【００２８】
すなわち、ユーザがＤＲＭコンテンツに対して再生（ｐｌａｙ）、表示（ｄｉｓｐｌａｙ）、転送（ｅｘｐｏｒｔ）、印刷（ｐｒｉｎｔ）などの動作を行うとき、前記ＲＯ内の制限、例えば前記ｐｅｒｍｉｓｓｉｏｎエレメントの下位エレメントであるｃｏｎｓｔｒａｉｎｔエレメント、ａｓｓｅｔエレメントなどによって前記動作が制限される。
【００２９】
図３及び図５は本発明によりｒｉｇｈｔｓエレメントにさらに定義されるエレメントの例を示す図であり、前記ｒｉｇｈｔｓエレメントはＸＭＬ  ＤＴＤ（Ｅｘｔｅｎｓｉｂｌｅ  Ｍａｒｋｕｐ  Ｌａｎｇｕａｇｅ  Ｄｏｃｕｍｅｎｔ  Ｔｙｐｅ  Ｄｅｆｉｎｉｔｉｏｎ）で表現されているが、これに限定されるものではない。
【００３０】
図３及び図５に示すように、前記ｃｏｎｓｔｒａｉｎｔエレメントは、ｃｏｕｎｔ、ｔｉｍｅｄ−ｃｏｕｎｔ、ｄａｔｅｔｉｍｅ、ｉｎｔｅｒｖａｌ、ａｃｃｕｍｕｌａｔｅｄ、ｉｎｄｉｖｉｄｕａｌ、ｓｙｓｔｅｍなどのエレメントだけでなく、本発明で新しく定義するｐｒｅｃｏｎｓｕｍｐｔｉｏｎエレメントをも含む。
【００３１】
本発明は、特に、特定コンテンツを利用するためには他のコンテンツを先に利用しなければならないという制限（以下、先利用制限という）を含む利用権利を定義する。本実施形態においては、前記先利用制限を示すために、前記ｃｏｎｓｔｒａｉｎｔエレメントの下位に前記ｐｒｅｃｏｎｓｕｍｐｔｉｏｎエレメントを追加しているが、前記エレメントが必ずしもこの位置に限定されるものではない。
【００３２】
図３に示すように、前記ｃｏｎｓｔｒａｉｎｔエレメントは、ｐｒｅｃｏｎｓｕｍｐｔｉｏｎエレメントを含まないこともあり、１つ以上のｐｒｅｃｏｎｓｕｍｐｔｉｏｎエレメントを含むこともある。前記ｃｏｎｓｔｒａｉｎｔエレメントが１つ以上のｐｒｅｃｏｎｓｕｍｐｔｉｏｎエレメントを含む場合、全てのｐｒｅｃｏｎｓｕｍｐｔｉｏｎエレメントが参照するアセットに対して指定された動作が予め行われなければならない。
【００３３】
また、図５に示すように、前記ｐｒｅｃｏｎｓｕｍｐｔｉｏｎエレメントは、下位エレメントを含まないこともあり、下位エレメントとして１つ以上のｃｏｎｓｕｍｐｔｉｏｎｕｎｉｔエレメントを含むこともある。ここで、前記ｐｒｅｃｏｎｓｕｍｐｔｉｏｎエレメントが１つ以上のｃｏｎｓｕｍｐｔｉｏｎｕｎｉｔエレメントを含む場合、少なくとも１つのｃｏｎｓｕｍｐｔｉｏｎｕｎｉｔエレメントが参照するアセットに対して指定された動作が予め行われると、該当ｐｒｅｃｏｎｓｕｍｐｔｉｏｎエレメントが要求する条件が満たされたと見なすことができる。
【００３４】
ここで、前記ＤＲＭエージェントは、前記ｐｒｅｃｏｎｓｕｍｐｔｉｏｎエレメント（図３参照）又は前記ｃｏｎｓｕｍｐｔｉｏｎｕｎｉｔエレメント（図５参照）に指定された動作を行う前に、該当動作を行うか否かに関するユーザの確認を受けることができる。すなわち、指定された動作を行うか否かに関するユーザの応答に応じて、前記ＤＲＭエージェントは、前記ｐｒｅｃｏｎｓｕｍｐｔｉｏｎエレメント（図３参照）又は前記ｃｏｎｓｕｍｐｔｉｏｎｕｎｉｔエレメント（図５参照）に指定された動作を行わせるか、又はユーザが要求した特定コンテンツの利用自体を禁止することができる。
【００３５】
前記ｐｒｅｃｏｎｓｕｍｐｔｉｏｎエレメント又は前記ｃｏｎｓｕｍｐｔｉｏｎｕｎｉｔエレメントは、特定アセットに対してどの動作が行われなければならないかを示すための子エレメントと、実行回数を定義するための属性とを含む。以下、図３を参照して説明するが、これに対応する図５の部分にも同様の説明を適用できるので、図５に関する詳細説明は省略する。
【００３６】
前記ｐｒｅｃｏｎｓｕｍｐｔｉｏｎエレメントは、特定アセットに対してどの動作が行われなければならないかを示すためのもので、１つのａｓｓｅｔエレメントと少なくとも１つの動作エレメントとを含む。ここで、前記動作エレメントは、ｐｌａｙ、ｄｉｓｐｌａｙ、ｐｒｉｎｔ、ｅｘｐｏｒｔなどを含むが、必ずしもこれらに限定されるものではなく、実行できるアセットの動作を示すエレメントであれば、いずれでもよい。ここで、前記それぞれのエレメント（すなわち、ｐｌａｙ、ｄｉｓｐｌａｙ、ｐｒｉｎｔ、ｅｘｐｏｒｔなど）の数は、０又は１である。すなわち、それぞれのエレメントは選択的に存在する。
【００３７】
前記ｐｒｅｃｏｎｓｕｍｐｔｉｏｎエレメントに下位エレメントとして属するａｓｓｅｔエレメントは、一般的なａｓｓｅｔエレメントの属性のうち、指定された動作が先に行われなければならない他のコンテンツの参照識別子を示すｉｄｒｅｆ属性のみを含むことができる。
【００３８】
前記ＤＲＭエージェントは、前記ｐｒｅｃｏｎｓｕｍｐｔｉｏｎエレメントに属する下位エレメントで指定された様々な動作が前記他のコンテンツに対して行われたか否かを確認しなければならない。ここで、前記動作が行われたか否かは、前記ＤＲＭエージェントが搭載された端末内に存在する所定の保存空間に保存されているコンテンツの利用記録から確認することができる。
【００３９】
前記ｐｒｅｃｏｎｓｕｍｐｔｉｏｎエレメントは、動作回数に関するｏｎｃｅ属性を有する。前記ｏｎｃｅ属性は「ｔｒｕｅ」値又は「ｆａｌｓｅ」値を有し、前記ｏｎｃｅ属性が省略された場合、前記ｏｎｃｅ属性値は「ｆａｌｓｅ」と見なされる。前記ｏｎｃｅ属性値が「ｔｒｕｅ」の場合、前記ｐｒｅｃｏｎｓｕｍｐｔｉｏｎエレメントは１回実行され、前記ｏｎｃｅ属性値が「ｆａｌｓｅ」の場合、前記ｐｒｅｃｏｎｓｕｍｐｔｉｏｎエレメントは条件が成立する度に実行される。ここで、前記ｐｒｅｃｏｎｓｕｍｐｔｉｏｎエレメントが実行される端末は、前記保存空間に前記ｐｒｅｃｏｎｓｕｍｐｔｉｏｎエレメントの動作が行われたか否かを保存することが好ましい。
【００４０】
図４及び図６は本発明によるＲＯの実施形態を示す図である。
【００４１】
図４に示すように、ＲＯは、ｃｏｎｔｅｎｔ２を再生するためには、ｃｏｎｔｅｎｔ１及びｃｏｎｔｅｎｔ２が順に表示されなければならないことを、ｐｒｅｃｏｎｓｕｍｐｔｉｏｎエレメントを利用して示す。
【００４２】
また、図６に示すように、ＲＯは、ｃｏｎｔｅｎｔ２を再生するためには、ｃｏｎｔｅｎｔ１を再生するか又はｃｏｎｔｅｎｔ３を表示しなければならないことを、ｐｒｅｃｏｎｓｕｍｐｔｉｏｎエレメントを利用して示す。
【００４３】
図７は図４のＲＯを利用したコンテンツ実現方法を示す信号フロー図であり、ｃｏｎｔｅｎｔ２を再生する過程を示している。
【００４４】
まず、ＤＲＭエージェントは、ＣＩからｃｏｎｔｅｎｔ１、ｃｏｎｔｅｎｔ２、及びｃｏｎｔｅｎｔ３を受信し（Ｓ１１）、ＲＩから該当コンテンツを利用することのできるＲＯを受信する（Ｓ１３）。ここで、前記ＲＯは、図４に示すように、ｃｏｎｔｅｎｔ２を再生するためにはｃｏｎｔｅｎｔ１及びｃｏｎｔｅｎｔ３を表示しなければならないという制限を含む。
【００４５】
以下、前記ＲＩが前記ＲＯを発行する過程について簡単に説明する。
【００４６】
前記ＲＩは、前記ＣＩと相互作用してＲＯを生成した後、前記ＲＯの取得を開始するためのＲＯＡＰ（Ｒｉｇｈｔｓ  Ｏｂｊｅｃｔ  Ａｃｑｕｉｓｉｔｉｏｎ  Ｐｒｏｔｏｃｏｌ）トリガを生成して前記ＣＩに送信する。
【００４７】
前記ＲＯＡＰトリガを受信したＣＩは、該当ＲＯＡＰトリガを前記ＤＲＭエージェントに送信し、前記ＤＲＭエージェントは、前記ＲＩに前記ＲＯを要求してダウンロードする。ここで、前記ＲＯは、ｃｏｎｔｅｎｔ２を再生するためには、ｃｏｎｔｅｎｔ１を再生してｃｏｎｔｅｎｔ３を表示しなければならないという先利用制限情報を含む。
【００４８】
ユーザが前記ＤＲＭエージェントに特定コンテンツの再生を要求した場合（Ｓ１５）、前記ＤＲＭエージェントは、前記受信したＲＯの詳細内容を確認して（Ｓ１７）、前記要求されたｃｏｎｔｅｎｔ２の再生を制御する。すなわち、前記ＲＯが前記先利用制限情報を含む場合、前記ＤＲＭエージェントは、ｃｏｎｔｅｎｔ１を再生してｃｏｎｔｅｎｔ３を表示した後、ｃｏｎｔｅｎｔ２を再生する。前記ＲＯが先利用制限情報を含まない場合、前記ＤＲＭエージェントは、前記要求されたｃｏｎｔｅｎｔ２を再生する。
【００４９】
また、前記ＤＲＭエージェントは、前記受信したＲＯの詳細内容を確認した後、ｃｏｎｔｅｎｔ２を利用するためにはｃｏｎｔｅｎｔ１とｃｏｎｔｅｎｔ３を先に利用しなければならないことを前記ユーザに通知し、前記ＲＯの詳細内容に同意するかを問い合わせる（Ｓ１９）。
【００５０】
前記ユーザが前記ＲＯの詳細内容に同意した場合、前記ＤＲＭエージェントはｃｏｎｔｅｎｔ１を再生する。ここで、ｃｏｎｔｅｎｔ１が前記ＣＩにリンクされている場合、前記ＤＲＭエージェントは、ｃｏｎｔｅｎｔ１を前記ＣＩから検索及び受信して（Ｓ２１）、ｃｏｎｔｅｎｔ１を再生する（Ｓ２３）。
【００５１】
ｃｏｎｔｅｎｔ１の再生が終了すると、前記ＤＲＭエージェントは、ｃｏｎｔｅｎｔ３を表示した後（Ｓ２５）、ｃｏｎｔｅｎｔ２を再生する（Ｓ２７）。ここで、前記の各動作は、各アセットのｐｅｒｍｉｓｓｉｏｎエレメントとｃｏｎｓｔｒａｉｎｔエレメントに設定されたとおり行われる。すなわち、ｃｏｎｔｅｎｔ３は、ｐｒｅｃｏｎｓｕｍｐｔｉｏｎエレメントのｏｎｃｅ属性値が「ｔｒｕｅ」であるので、１回表示されるとｃｏｎｔｅｎｔ２を再生するために再び表示されることはない。
【図面の簡単な説明】
【００５２】
【図１】一般的なデジタル著作権管理システムの構成を示す図である。
【図２】一般的なｒｉｇｈｔｓエレメントの構成を示す図である。
【図３】本発明によりさらに定義されるエレメントの例を示す図である。
【図４】本発明による利用権利の一実施形態を示す図である。
【図５】本発明によりさらに定義されるエレメントの他の例を示す図である。
【図６】本発明による利用権利の他の実施形態を示す図である。
【図７】図４の利用権利を利用したコンテンツ実現方法を示す信号フロー図である。
【図１】
2009503626.tif 000003
【図２】
2009503626.tif 000004
【図３】
2009503626.tif 000005
【図４】
2009503626.tif 000006
【図５】
2009503626.tif 000007
【図６】
2009503626.tif 000008
【図７】
2009503626.tif 000009
【国際調査報告】
2009503626.tif 000010
2009503626.tif 000011
2009503626.tif 000012